(57)【要約】【課題】  簡易な操作により作動し迅速にアラーム音を放音させることができる携帯警報装置を提供する。【解決手段】  全体として箱形を形成し、この箱形の一部が本体部２を構成するとともに、この箱形の他部が可動部３を構成し、この可動部３が前記本体部２に対して側方へずれるように移動することにより、スイッチ部１２を作動可能にされてなる。【選択図】    図２
0003137199.tif 000002
【実用新案登録請求の範囲】
【請求項１】
全体として箱形を形成し、この箱形の一部が本体部を構成するとともに、この箱形の他部が可動部を構成し、この可動部が前記本体部に対して側方へずれるように移動することにより、スイッチ部を作動可能にされてなる携帯警報装置。
【請求項２】
前記本体部側に、前記スイッチ部に接続された電池と、
前記スイッチ部のオン動作により前記電池の電圧を受けて音声を発する音声発生手段と、を設けたことを特徴とする請求項１に記載の携帯警報装置。
【請求項３】
前記本体部側に、押ボタンスイッチと、
この押ボタンスイッチの押圧操作に応じて前記音声発生手段の音声出力をアップさせる音量調整手段と、を設けてなることを特徴とする請求項１または２に記載の携帯警報装置。
【考案の詳細な説明】
【技術分野】
【０００１】
本考案は、簡易に携帯してアラーム音を発生させる携帯警報装置に係り、特に、取り扱い操作を容易にし得る携帯警報装置に関する。
【背景技術】
【０００２】
携帯してアラーム音を発生させる装置は、各種提案されているが、ケース内に電池とブザーを内蔵し、ケースに押ボタンスイッチを突設したものが一般的である。
【０００３】
この携帯警報装置は、バッグやポケットに入れておき、身の危険が迫ったとき等に取り出して押ボタンスイッチを押圧操作する。すると、ブザーが鳴動するので、周りの注意を喚起できるものである。
【考案の開示】
【考案が解決しようとする課題】
【０００４】
しかし、この種の携帯警報装置は、押ボタンスイッチを押圧操作しなければ、動作させることができないので、押ボタンスイッチを探すのに時間がかかり、緊急時に間に合わないという欠点があった。
【０００５】
本考案は、上記課題に鑑みてなされたもので、簡易な操作により作動し迅速にアラーム音を放音させることができる携帯警報装置を提供することを目的としている。
【課題を解決するための手段】
【０００６】
上記目的を達成するため、本考案による携帯警報装置は、全体として箱形を形成し、この箱形の一部が本体部を構成するとともに、この箱形の他部が可動部を構成し、この可動部が前記本体部に対して側方へずれるように移動することにより、スイッチ部を作動可能にされてなることを特徴としている。
【０００７】
また、前記本体部側に、前記スイッチ部に接続された電池と、前記スイッチ部のオン動作により前記電池の電圧を受けて音声を発する音声発生手段と、を設けたことを特徴としている。
また、前記本体部側に、押ボタンスイッチと、この押ボタンスイッチの押圧操作に応じて前記音声発生手段の音声出力をアップさせる音量調整手段と、を設けてなることを特徴としている。
【考案の効果】
【０００８】
以上説明したように、本考案による携帯警報装置は、全体として箱形の一部が本体部を、他部が可動部を構成し、この可動部を前記本体部に対して側方へずれるように移動したときスイッチ部を作動させるので、このスイッチ部にアラーム音を発生するブザー等を接続すると、可動部をずらす簡単な操作によりアラーム音を放音させることが可能となり、緊急時に周囲の注意を喚起することができる効果がある。
【０００９】
また、前記本体部側に電池および音声発生手段を設けたので、前記スイッチ部のオン動作により電池の電圧で音声を発生し放音させることができ、身の危険を感じたときに周囲の人の注意を喚起して救助を求めたり、危害を未然に防止することが可能になる。
また、前記本体部側に押ボタンスイッチと音量調整手段とを設けたことから、押ボタンスイッチを押圧操作し続けると音声発生手段からの放音音声が漸次高音となるので、周囲の人の注意をより強く喚起したり、危害を及ぼす者を撃退し易くなるといった利点がある。
【考案を実施するための最良の形態】
【００１０】
以下、本考案に係る携帯警報装置の実施形態について、図面を参照しながら詳述する。
図１は、本考案の一実施形態である携帯警報装置を示す斜視図、図２は、同縦断面図である。
本実施形態の携帯警報装置１は、本体部２と可動部３により箱形を構成し、押ボタンスイッチ７、スライドスイッチ１１、音声生成部１６、音量調整部１７、スピーカ１８および電池１９等を備えている。
【００１１】
本体部２は、略直方体で上面２ａの中央に吊紐部５を突設し、一端縁寄りに貫通穴２ｃを形成している。吊紐部５は貫通小孔５ａを設けており、この貫通小孔５ａに紐を通して携帯警報装置１を吊り下げられるようになっている。
この本体部２は、図示されない裏面に開口が開設されており、この開口を覆う蓋体を備えている。この蓋体には、ネジ挿入孔を形成してあり、このネジ挿入孔に対向して本体部２にネジ孔が刻設されている。
そして、ネジ挿入孔からネジを挿入し本体部２のネジ孔に螺入すると、開口が覆われ内部が中空になる。
【００１２】
また、この本体部２は、下面２ｂが扁平で、可動部３の上面３ａに対し摺動自在となっている。そして、この下面２ｂに長さ方向に沿ってガイド孔２ｄが形成されており、ボルト１０を緩挿可能になっている。
このボルト１０は、頭部１０ａがガイド孔２ｄより大径で、ネジ部１０ｂがガイド孔２ｄより小径になっている。このボルト１０は、ネジ部１０ｂをガイド孔２ｄから挿入すると、大径の頭部１０ａがガイド孔２ｄに跨りネジ部１０ｂが突出するようになっている。
【００１３】
可動部３は、本体部２に等しい外径形状で、蓋部４を備えている。この可動部３は、凹所３ｃを形成し他端縁寄りにネジ孔３ｄを刻設している。
そして、凹所３ｃの上部にはネジ挿通孔３ｅを形成し、前記ボルト１０が挿通されるようになっている。
また、蓋部４は、前記可動部３を覆うサイズで、前記ネジ孔３ｄに対向する箇所に凹部４ａとネジ挿入孔４ｃとを形成してある。
【００１４】
これら本体部２、可動部３および蓋部４を組み付ける場合は、ガイド孔２ｄから突出させたボルト１０のネジ部１０ｂに可動部３のネジ孔３ｅを挿通する。そして、ネジ部１０ｂにナット１０ｃを螺入することにより、ボルト１０を介して本体部２に可動部３を取付ける。
すると、本体部２に対し可動部３が連結され、ボルト１０がガイド孔２ｄに沿って移動自在になる。
この後、蓋部４のネジ挿入孔４ｃからネジ１１を挿入し、可動部３のネジ孔３ｄに螺入する。これにより、凹所３ｃが覆われて可動部３に蓋部４が一体化される。
【００１５】
押ボタン６は、前記本体部２の貫通穴２ｃに取付けられている。この押ボタン５は、操作部６ａと軸部６ｂとからなり、この軸部６ｂを貫通穴２ｃに挿入して、バネ体を装着している。
そして、軸部６ｂの下端に可動接点８を設ける一方、この可動接点８に対向して１対の固定接点９を配設している。
固定接点９は、一方を内蔵電池１９に接続し、他方を音量調節部１７に接続している。
これにより、押ボタン６を押すと可動接点８が固定接点９に接してオン状態となる。このとき、バネ体が収縮しており、押ボタン６を離すとバネ体の弾発力によって元の位置に戻り、オフ状態となる。
【００１６】
スライドスイッチ１２は、可動片１３と固定片１４とからなり、本体部２の底面に設けられている。
可動片１３は、細幅の導電体からなり、前記ボルト１０の頭部１０ａ近傍に固着されている。また、固定片１４は、可動片１３に対向して中空部２ｅ内の保持部に取付けられている。そして、可動片１３は、内蔵電池１９に接続し、固定片１４は音声生成部１６に接続されている。
【００１７】
このスライドスイッチ１２は、常態では、固定片１４と可動片１３との間に小間隙を有し、非接触のオフ状態に保たれている。
そして、可動部３が移動したとき、ガイド孔２ｄに沿って連動するボルト１０の頭部１０ａが可動片１３の一端１３ａに接すると、この可動片１３の他端１３ｂが固定片１４に接触してオン状態になる。
なお、音声生成部１６、音量調整部１７および電池１９等は、中空部２ｅ内に取付けられた回路基板に実装されている。また、スピーカ１８は、本体部２の前面に向けて固着されている。
【００１８】
音声生成部１６は、音声ＩＣ回路であり、アラーム音の信号を発生して出力する。本例では、「ピー」や「ピー、ピー」等のアラーム音を高い音量で出力可能となっている。
音量調整部１７は、音声信号の出力レベルを調整し、スピーカ１８から放音されるアラーム音のレベルを決定する。本例では、押ボタン６の操作時間に応じて音量レベルを漸次アップさせるようになっている。
【００１９】
図３は、上記携帯警報装置を示す電気回路図である。
同図において、１９は内蔵電池であり、負極側が接地され、正極側に前記スライドスイッチ１２と押ボタンスイッチ７とが接続されている。
スライドスイッチ１２は、音声生成部１６に接続されている。また、押ボタンスイッチ７は、音量調整部１７を介して音声生成部１６に接続されている。そして、この音声生成部１６は、出力がスピーカ１８に接続されている。
【００２０】
次に、上記携帯警報装置の動作について説明する。
この携帯警報装置１は、使用しない状態では本体部２と可動部３とが一体を保ち、マッチ箱状を呈している。このため、バッグやポケットに入れて簡便に持ち運ぶことができる。
【００２１】
ユーザーが、身の危険を感じたときや痴漢等に遭遇したとき、携帯警報装置１の可動部３に手を触れる。そして、本体部２に対し可動部３が側方へずれるように移動させる（図１の実線３位置から鎖線３位置）。
すると、スライドスイッチ１２の可動片１３が固定片１４に接触してオン状態になり、音声生成部１６が動作する。
【００２２】
これに伴い、スピーカ１８から例えば、「ピー」のアラーム音が高音で放音される。このため、周囲に注意を喚起することができるとともに、痴漢等に遭遇した際は撃退することが可能になる。
そして、この携帯警報装置１が不要になったとき、可動部３を逆方向に移動させて元の位置に戻すと（図１の鎖線３位置から実線３位置）、スライドスイッチ１２の可動片１３が固定片１４から離間してオフ状態になり、音声生成部１６が動作を停止する。これにより、アラーム音が鳴り止むので、直ぐに静寂を保つことができる。
【００２３】
なお、ユーザーが、より高音でアラーム音を放音させたい場合は、本体部２の押ボタン６を押圧する。すると、押ボタンスイッチ７がオンとなり、音量調整部１７にオン信号が送出される。
この音量調整部１７は、オン信号の入力時間に応じて音量アップの指令を音声生成部１６に与える。
【００２４】
このため、音声生成部１６から漸次レベルアップする音声信号がスピーカ１８側に供給される。これにより、スピーカ１８からは漸次高音になるアラーム音が放音される。よって、より効果的に注意を喚起でき、効果的な撃退も可能になる。
そして、アラーム音を止めたいとき、押ボタン６を離すとオフ動作になるので、高音のアラーム音を停止させることができる。
【００２５】
なお、本考案は、音声生成部１６で音声信号を生成し、スピーカ１８によりアラーム音を放音させるようにしたが、これらに代えてブザーを用いるようにしてもよい。
これにより、構成が簡単になるので、製作が容易になるとともに全体の軽量化が図られる。
また、本考案は上記の実施形態に限定されず、本考案の趣旨を逸脱しない範囲で、種々の変更が可能である。
【図面の簡単な説明】
【００２６】
【図１】本考案の一実施形態である携帯警報装置を示す斜視図である。
【図２】携帯警報装置を示す縦断面図である。
【図３】携帯警報装置を示す電気回路図である。
【符号の説明】
【００２７】
２    本体部
３    可動部
１２  スイッチ部
【図１】
0003137199.tif 000003
【図２】
0003137199.tif 000004
【図３】
0003137199.tif 000005